(57)【特許請求の範囲】
【請求項１】
少なくとも一軸方向に関して略等しい寸法で、他の二軸の内少なくとも一軸は異なる寸法の複数の種類の電池を保持可能とすると共に、長手方向の対向する２つの側面外郭及び短手方向の対向する２つの側面外郭よりなるホルダ外郭に複数種類の電池に対応して該電池を保持する保持部をホルダの内方に向かい突設して設けたことを特徴とする電池ホルダ。
【請求項２】
前記保持部は各電池毎に互いに対角位置に配置して各電池に対応するようにしたことを特徴とする請求項１記載の電池ホルダ。
【請求項３】
前記保持部は、対向する一対の側面外郭の中央上方に設けた高さが高い電池用のものと、これの側方下方に高さが低い電池用のものとから成ることを特徴とする請求項１記載の電池ホルダ。
【発明の詳細な説明】
【０００１】
【発明の属する技術分野】
本発明は、形状の異なる電池を同一の電池ホルダに固定する電池収納構造に関するものである。より詳しくは、消防法改正に伴い従来の非常点灯２０分タイプの誘導灯に加えて、主に大規模物件向けの、非常点灯６０分タイプの誘導灯ニーズが増えたことにより、異種形状の電池に対応するものである。
【０００２】
【従来の技術】
従来のこの種の誘導灯に用いられる電池ホルダについて図７、図８を参照して説明する。図７に示した点滅形誘導灯１０は、主として屋内の非常口に設置して使用され、電池を長時間収納していて火災や停電などの非常時にその電池を一定時間持続し機能させるものである。この点滅形誘導灯１０は非常口の所在を常時表示する表示板１１を有し、正常時には屋内配線の電力線からの電源供給を受けて内部の冷陰極ランプ１３が点灯することにより表示され、火災による停電などの非常時には、内部の電池ホルダ１４に収納されている電池ＢＴにより所定の時間、点灯表示が持続される。また、点滅形誘導灯１０は、別電池による機能として、非常時に非常口の所在を注目喚起させるキセノン点滅部１２や誘導音を出すスピーカなどを備えている。
【０００３】
ところで、停電時に電池ＢＴから供給される照明用の電力の維持時間に関して、消防法改正に伴い従来の非常点灯２０分タイプの誘導灯に加えて、主に大規模物件向けの、非常点灯６０分タイプの誘導灯ニーズが増えたことにより、異種形状の電池に対応することが要求されている。例えば、図８に示すように、２０分点灯形電池ＢＴ１と６０分点灯形電池ＢＴ２では、その電気容量の違いにより電池容積も異なっている。電池ＢＴ１、ＢＴ２は、共に、単セル電池を複数個組み合わせ、一体化してリード線Ｌ１，Ｌ２を設けたものであり、電池の３軸つまり、電池の高さＨ１，Ｈ２、幅Ｗ１，Ｗ２、長さＤ１，Ｄ２は一般には全て異なるものである。従来、点滅形誘導灯では、このように形状の異なる電池は別々の専用電池ホルダを用いて内部に設置されていた。
【０００４】
従来の形状の異なる電池に対応する電池ホルダとして次のようなものがある。電池の１軸が同寸法で２軸が異寸法の複数種類の電池を保持可能としたもの（例えば、特開平９−３２０６４２号公報、特開平６−１４４６９号公報参照）、１個の単一型電池、単二型電池、又は単三型電池の何れの電池でも保持可能としたもの（例えば、特開２０００−２０８１１７号公報、特開昭６４−１８５７３号公報、特開平１１−１７６４０３号公報参照）、また、複数個の単三型電池、又は単四型電池の何れの種類の電池でも保持可能としたもの（例えば、特開平８−２０３４８５号公報参照）が知られている。
【０００５】
【発明が解決しようとする課題】
しかしながら、上述した図７に示したような点滅形誘導灯において、形状の異なる電池を使用する場合、別々の専用電池ホルダを用いる必要があり、このため複数の電池ホルダを製作、管理する必要があった。また、上述の各公報に示された電池ホルダは、電池収納状態において電池の電極が受け側の電極と接触して自動接続される構造に成っており、その分、構造が複雑で部品点数も多く必要であり、電気接続に対する信頼性や組立工数についても問題があった。
【０００６】
本発明は、上記の課題を解消するものであって、一種類の電池ホルダを用いて異なる形状の電池を収納でき、部品点数削減によるコストダウン、組立性の向上、金型投資コストの低減を図ることができる電池ホルダを提供することを目的とする。
【０００７】
【課題を解決するための手段】
上記の課題を達成するために、請求項１の発明は、少なくとも一軸方向に関して略等しい寸法で、他の二軸の内少なくとも一軸は異なる寸法の複数の種類の電池を保持可能とすると共に、長手方向の対向する２つの側面外郭及び短手方向の対向する２つの側面外郭よりなるホルダ外郭に複数種類の電池に対応して該電池を保持する保持部をホルダの内方に向かい突設して設けたものである。この構成の電池ホルダにおいては、一種類のホルダでもって少なくとも一軸方向の寸法が略等しい複数の種類の電池の保持が可能となる。また、複数の種類の電池を対応する保持部により固定し、保持することが可能となる。
【０００９】
請求項２の発明は、請求項１記載の発明において、保持部は各電池毎に互いに対角位置に配置して各電池に対応するようにしたものである。この構成の電池ホルダにおいては、対角位置に設けた保持部により電池の２個所を固定し、保持することが可能となる。
【００１０】
請求項３の発明は、請求項１記載の発明において、保持部は、対向する一対の側面外郭の中央上方に設けた高さが高い電池用のものと、これの側方下方に高さが低い電池用のものとから成るようにしたものである。この構成の電池ホルダにおいては、背の高い電池両端の中央の２個所を固定し、また、背の低い電池両端を固定して電池の保持が可能となる。
【００１２】
【発明の実施の形態】
以下、本発明の第１実施形態に係る電池ホルダについて、図１を参照して説明する。図面中の共通する部材には同一符号を付して重複説明を省略する。電池ホルダ１は、図１（ａ）に示されるように、長手方向側面外郭２、２と短手方向側面外郭３、３とでホルダ外郭を構成し、これに底面部材を含めて合成樹脂材料を用いて一体成型される。対向する短手方向側面外郭３の一方（固定側）の両端にはホルダの内方に向かい突設された保持部４ａ、５ａが設けられている。また、短手方向側面外郭３の他方（可動側）には、スリットＳ，Ｓ，Ｓにより仕切られた外郭上部にホルダの内方に向かい突設された保持部４ｂ、５ｂがそれぞれ保持部４ａ，５ａの対角位置に設けられている。保持部４ｂは保持部４ａと共に用いられて背の高さの低い電池を保持し、また、保持部５ｂは保持部５ａと共に用いられて背の高さの高い電池を保持する。
【００１３】
このように構成された電池ホルダ１に電池を収納する場合、電池の一端を矢印ＩＮの方向から保持部４ａ、５ａの下部に向けて挿入し、次に、保持部４ｂ，５ｂを矢印Ｍの方向に逃がして電池の他端を押し込み、電池ホルダ１内に電池を収納する。スリットＳ，Ｓ，Ｓは保持部４ｂ，５ｂのある短手方向側面外郭３に可撓性を持たせるために設けられている。また、固定側の保持部４ａ，５ａの下面は電池の挿入が容易なように傾斜しており、可動側の保持部４ｂ，５ｂの上面は電池挿入時に邪魔にならないように傾斜しており、その下面は固定を確実とするようにホルダ底面と平行な面になっている。
【００１４】
次に、電池の収納状態を説明する。図１（ｂ）は背の低い電池ＢＴ１を収納した状態であり、図１（ｃ）は背の高い電池ＢＴ２を収納した状態である。両電池ＢＴ１，ＢＴ２はその１軸、この例では長手方向、の寸法が略同一な電池である。電池ＢＴ１は背の低い扁平構造を有し、保持部４ａ，４ｂにより電池の対角位置の２個所を保持固定されている。また、電池ＢＴ２は幅が狭く背の高い電池であり、電池ホルダ１に挿入する際に、図１（ｂ）に示すように、保持部４ａ，４ｂに押されて対角配置となって保持部４ａ，４ｂと干渉せずに電池ホルダ１の中央部に収納され、保持部５ａ，５ｂにより保持されている。上記電池ホルダには、前述したような点滅形誘導灯１０（図７）に搭載され、リード線Ｌ１，Ｌ２は共に稼働側の短手方向側面外郭側からホルダ外部に導かれコネクタにより冷陰極ランプ１３へと導かれる。
【００１５】
次に、本発明の第２実施形態に係る電池ホルダについて、図２を参照して説明する。この電池ホルダ１は、背の高い電池ＢＴ２の保持をより確実にするために固定側の保持部５ａの幅を広げたものになっている。また、これにより電池ホルダ１の強度も向上している。他の点は、上記の第１実施形態と同様であり、説明は省略する。
【００１６】
次に、本発明の第３実施形態に係る電池ホルダについて、図３を参照して説明する。この電池ホルダ１は、背の高い電池ＢＴ２の保持をより確実にするために可動側の保持部５ｂの幅を広げたものになっている。この場合、リード線Ｌ１，Ｌ２の通り道として切欠部６を保持部５ｂに設けている。他の点は、上記の第２実施形態と同様であり、説明は省略する。
【００１７】
次に、本発明の第４実施形態に係る電池ホルダについて、図４を参照して説明する。この電池ホルダ１は、電池の保持の方法に左右対象性を持たせて、電池の保持をより確実にするものである。背の低い電池ＢＴ１の保持は電池の４隅の４個所で、また、背の高い電池ＢＴ２の保持は電池の中央線上に設けた２個所で保持部保持するようになっている。他の点は、上記の実施形態と同様であり、説明は省略する。
【００１８】
次に、本発明の第５実施形態に係る電池ホルダについて、図５を参照して説明する。この電池ホルダ１は、２種類の電池に対し、図５（ａ）に示すように一方の電池ＢＴ１は電池ホルダ１だけで保持し、他方の電池ＢＴ２は図５（ｂ）に示すように押さえ具８を付加して保持するものである。背の低い扁平な電池ＢＴ１は、４隅の４個所の保持部４ａ，４ａ，４ｂ，４ｂで保持されている。この電池ホルダ１の対向する長手方向側面外郭２、２は共に中央部の高さが高くなっており、その一方の外郭外面には左右対称に所定の間隔で２つのリブ７ａ，７ａを有し、他方の外郭外面には左右対称に前記所定の間隔で２つのリブ７ａ，７ａと、さらに中央部に１つのリブ７ｂを有している。また、押さえ具８は、幅が前記所定の間隔で設けられたリブ７ａ，７ａの内側間隔より若干狭い幅を持った長方形の平板をコの字状に２個所で直角に曲げた形状を有し、その内寸は電池ホルダ１の短手方向外寸より若干大きめの寸法であり、曲げられた一方の面の中央線上には矩形の窓Ｗを有している。このように構成された電池ホルダ１の中央に背の高い電池ＢＴ２を置き、この電池ＢＴ２と電池ホルダ１を跨ぐように前記押さえ具８を上方から、対になった前記リブ７ａ，７ａと７ａ、７ａの間に挿入させ、図５（ｂ）に一部図示している押さえ具８’のように、中央のリブ７ｂが窓Ｗに入るようにして押さえ具８を電池ホルダ１に固定して、これにより電池ＢＴ２を固定する。他の点は、上記の実施形態と同様であり、説明は省略する。
【００１９】
次に、本発明の第６実施形態に係る電池ホルダについて、図６を参照して説明する。この電池ホルダ１は、押さえ具８を電池ＢＴ２を跨ぐように、また、電池ホルダ１の内部に挿入するようにして使用するものであり、そのため、リブ９ａ，９ａ，９ａ，９ａ、９ｂを長手方向側面外郭２、２の内面に設けている。他の点は、上記の第５実施形態と同様であり、説明は省略する。
【００２０】
なお、本発明は、上記構成に限られることなく種々の変形が可能である。例えば、保持部の設置位置は上記実施形態では短手方向側面外郭としたが、長手方向側面でも、また、その両方でもよく、必要に応じてそれぞれの設置位置を決定すればよい。また、本発明の電池ホルダは独立した単一のホルダとして形成する以外に、他の構成物の一部として一体成形してもよい。また、押さえ具は、上記構成に限られることなく、ベルト状の物を用いてもよく、また、別に準備するのでなく、可撓性を持たせてこれを電池ホルダと一体成形したものでもよい。
【００２１】
【発明の効果】
以上のように請求項１の発明によれば、少なくとも一軸方向の寸法が略等しい複数の種類の電池に対して、一種類の電池ホルダを用いて保持可能となり、部品点数削減によるコストダウン、組立性の向上、金型投資コストの低減を図ることが可能となる。また、複数の種類の電池を対応する保持部をホルダの内方に向かい突設して設けたので、複数種類の電池をより一層確実に固定し、保持することが可能となる。
【００２２】
また、請求項２の発明によれば、電池の２個所を固定できるように対角位置に保持部を設けたため、また、請求項３の発明によれば、背の高い電池両端の中央の２個所を固定する保持部と、背の低い電池両端を固定する保持部を設けたため、複数種類の電池をより一層確実に固定し、保持することが可能となる。
【００２３】
また、請求項４の発明によれば、簡単な形状の押さえ具を一つ付加するだけで複数の種類の電池の保持が可能となり、また、押さえ具を準備することで、対応できる電池の種類がさらに増える。
【図面の簡単な説明】
【図１】  （ａ）は本発明の第１実施形態による電池ホルダの斜視図、（ｂ）、（ｃ）は同ホルダに電池を収納した状態の斜視図。
【図２】  （ａ）は本発明の第２実施形態による電池ホルダの斜視図、（ｂ）、（ｃ）は同ホルダに電池を収納した状態の斜視図。
【図３】  （ａ）は本発明の第３実施形態による電池ホルダの斜視図、（ｂ）、（ｃ）は同ホルダに電池を収納した状態の斜視図。
【図４】  （ａ）は本発明の第４実施形態による電池ホルダの斜視図、（ｂ）、（ｃ）は同ホルダに電池を収納した状態の斜視図。
【図５】  （ａ）は本発明の第５実施形態による電池ホルダに電池を収納した状態の斜視図、（ｂ）は同ホルダに押さえ具を付加して電池を収納する様子を示す斜視図。
【図６】  （ａ）は本発明の第６実施形態による電池ホルダに電池を収納した状態の斜視図、（ｂ）は同ホルダに押さえ具を付加して電池を収納する様子を示す斜視図。
【図７】  （ａ）は従来及び本発明が適用される点滅形誘導灯の外観図、（ｂ）はその内部外観図。
【図８】  （ａ）は従来及び本発明が適用される電池の外観図、（ｂ）は同じく形状の異なる電池の外観図。
【符号の説明】
１    電池ホルダ
２    長手方向側面外郭
３    短手方向側面外郭
４ａ，４ｂ，５ａ，５ｂ    保持部
８    押さえ具
ＢＴ１，ＢＴ２    電池
【図１】
0004254104.tif 000002
【図２】
0004254104.tif 000003
【図３】
0004254104.tif 000004
【図４】
0004254104.tif 000005
【図５】
0004254104.tif 000006
【図６】
0004254104.tif 000007
【図７】
0004254104.tif 000008
【図８】
0004254104.tif 000009